(57)【要約】通信装置（１）は、指定時間における指定通信アドレスに向けてのメッセージの予定伝送が可能である。メッセージ、時間、及び通信アドレスは、その指定時間よりかなり前に入力可能である。メッセージは、第１の記憶手段（７）内に格納される。時間及び通信アドレスは、第２の記憶手段（１９）内に格納される。指定時間において、タイミング装置（１３）は、送信器（３）を用いた指定通信アドレスに向けてのメッセージの伝送を開始するよう制御ユニット（９）内に含まれる自動ダイアラ（１１）をトリガする。通信ソフトウェアは、実行されたときに、指定時間における指定通信アドレスに向けてのメッセージの伝送を予定する通信装置として機能するようプログラマブル装置をイネーブルする。
2005539429.tif 000002
【特許請求の範囲】
【請求項１】
電磁気信号を伝送可能な送信器と、
第１の記憶手段とインタフェースする第１のインタフェースと、
前記送信器に前記電磁気信号を伝送させ、前記第１の記憶手段内にメッセージエントリを格納するよう前記第１のインタフェースを使用可能な制御ユニットと、
を有する通信装置であって、
第２の記憶手段とインタフェースする第２のインタフェースがあり、
前記制御ユニットは、前記第２の記憶手段内に、日付及び時間のうち少なくとも１つのエレメントを特定する時間エントリと、通信アドレスを特定するアドレスエントリと、前記時間エントリ、前記アドレスエントリ、及び前記メッセージエントリの関係とを格納するよう前記第２のインタフェースを使用可能であり、
前記制御ユニットは、トリガされると前記通信アドレスへの前記メッセージエントリの伝送を開始可能な自動ダイアラを有し、
前記時間エントリに依存して前記自動ダイアラをトリガ可能なタイミング装置があることを特徴とする装置。
【請求項２】
前記制御ユニットは、前記第１の記憶手段内に、マイクロホンから受信した電磁気信号を、メッセージエントリとして格納するよう前記第１のインタフェースを使用可能であることを特徴とする請求項１記載の装置。
【請求項３】
ワイヤレスネットワークへの伝送を可能にする構成要素を有することを特徴とする請求項１記載の装置。
【請求項４】
前記第１の記憶手段及び前記第２の記憶手段を有することを特徴とする請求項１記載の装置。
【請求項５】
前記制御ユニットは、前記第２の記憶手段内に、複数のアドレスエントリ、及び、前記メッセージエントリと前記複数のアドレスエントリとの関係を格納するよう前記第２のインタフェースを使用可能であることを特徴とする請求項１記載の装置。
【請求項６】
前記制御ユニットは、前記第２の記憶手段内に、複数の時間エントリ、及び、前記複数のアドレスエントリと前記複数の時間エントリとの関係を格納するよう前記第２のインタフェースを使用可能であることを特徴とする請求項５記載の装置。
【請求項７】
前記送信器は、メッセージが続くことを示すプレフィックスと共にメッセージエントリを伝送可能であることを特徴とする請求項１記載の装置。
【請求項８】
前記プレフィックスは、マイクロホンから受信した電磁気信号を有することを特徴とする請求項７記載の装置。
【請求項９】
日付、アドレス、及びメッセージのうち少なくとも１つのエントリを認識する音声認識装置を有することを特徴とする請求項１記載の装置。
【請求項１０】
前記制御ユニットは、前記メッセージの完全な伝送を確実にするために前記通信アドレスへの伝送を数回試みることが可能であることを特徴とする請求項１記載の装置。
【請求項１１】
前記制御ユニットは、マシーンとの通信を検出し、また、マシーンとの通信が検出される場合に前記メッセージの伝送を中止可能であることを特徴とする請求項１０記載の装置。
【請求項１２】
前記送信器が、前記メッセージの完全な伝送を確実にしたときに、通知を生成可能であることを特徴とする請求項１記載の装置。
【請求項１３】
実行されると、通信装置として機能するようプログラマブル装置をイネーブルする通信ソフトウェアであって、
日付及び時間のうち少なくとも１つのエレメントを特定する時間エントリと、通信アドレスを特定するアドレスエントリと、メッセージエントリとを受信する機能と、
前記時間エントリに依存して、前記通信アドレスに前記メッセージエントリを伝送する機能と、
を有する通信ソフトウェア。
【請求項１４】
記録担体上に格納されることを特徴とする請求項１３記載の通信ソフトウェア。
【発明の詳細な説明】
【技術分野】
【０００１】
本発明は、電磁気信号を伝送可能な送信器と、第１の記憶手段とインタフェースする第１のインタフェースと、送信器に電磁気信号を伝送させ且つ第１の記憶手段内にメッセージエントリを格納するよう第１のインタフェースを使用可能である制御ユニットを有する通信装置に係る。本発明は更に、実行されると、通信装置として機能するようプログラマブル装置をイネーブルする通信ソフトウェアに係る。
【背景技術】
【０００２】
この通信装置の実施例は、ＤＥ１９６００２０９Ａ１から公知である。公知の装置は、移動電話機の機能性をディクタフォンの機能性と組合わせる。移動電話機機能を供給するために用いられるマイクロホン及びスピーカは、ディクタフォン機能性を供給するためにも用いられる。追加のメモリチップが、音声メッセージの記憶を可能にし、これは、ディクタフォン機能性を供給するために必要である。公知の装置の欠点は、装置のユーザしか、ディクテートされた音声メッセージを呼出しすることができないという点である。
【発明の開示】
【発明が解決しようとする課題】
【０００３】
本発明は、冒頭段落に記載したようなタイプであって、別の装置のユーザがディクテートされた音声メッセージを呼出しすることを可能にする通信装置を提供することを第１の目的とする。
【０００４】
本発明は、実行されると、冒頭段落に記載したようなタイプであって、別の装置のユーザがディクテートされた音声メッセージを呼出しすることを可能にする通信装置として機能するようプログラマブル装置をイネーブルする通信ソフトウェアを提供することを第２の目的とする。
【課題を解決するための手段】
【０００５】
本発明では、第１の目的は、第２の記憶手段とインタフェースする第２のインタフェースがあり、制御ユニットは、第２の記憶手段内に、日付及び時間のうち少なくとも１つのエレメントを特定する時間エントリと、通信アドレスを特定するアドレスエントリと、時間エントリ、アドレスエントリ、及びメッセージエントリの関係とを格納するよう第２のインタフェースを使用可能であり、制御ユニットは、トリガされると通信アドレスへのメッセージエントリの伝送を開始可能な自動ダイアラを有し、時間エントリに依存して自動ダイアラをトリガ可能なタイミング装置があることにより実現される。別の装置のユーザは、本発明の装置のユーザによって、別の装置のユーザにディクテートされた音声メッセージが伝送されることにより、そのディクテートされた音声メッセージを呼出しすることが可能となり得る。別の装置のユーザは、そのディクテートされた音声メッセージを格納し、それを後で呼出しすることが可能であり得る。
【０００６】
本発明の装置は、通信ネットワークにより提供される補助的なサービスを必要とすることなく、ある予め指定される日及び／又は時間よりかなり前に、その日及び／又はその時間にある通信アドレスにメッセージが到着するようそのメッセージをユーザが入力することを有利に可能にする。例えば、誕生日のお祝いの言葉を予定することが、本発明の装置がユーザにとって役に立つ１つの例である。ユーザが海外に出ても、ユーザのテレコムオペレータがローカルテレコムオペレータとローミングアグリーメントを有し、ユーザの装置がローカルオペレータの通信ネットワークを使用可能である限り、ユーザは誕生日のお祝いの言葉を伝送可能である。ローカルテレコムオペレータは、ユーザのテレコムオペレータと同じ補助的サービスを提供する必要がない。
【０００７】
本発明の装置の１つの実施例では、制御ユニットは、第１の記憶手段内に、マイクロホンから受信した電磁気信号を、メッセージエントリとして格納するよう第１のインタフェースを使用可能である。マイクロホンは、非常に速くメッセージを入力するのに有利に使用可能であり、また、マイクロホンは、非常に小さく且つ軽量であり得るので移動式装置に使用することが好都合である。制御ユニットは更に、キーボード上で入力されたテキストメッセージをメッセージエントリとして格納するよう第１の記憶手段を使用可能であってもよい。電磁気信号は、それが格納される前又は格納された後にデジタル化又は処理されてもよい。
【０００８】
本発明の装置は、ワイヤレスネットワークへの伝送を可能にする構成要素を有してもよい。ワイヤレスＬＡＮコンパクトフラッシュ（登録商標）カードを有する移動電話機及び携帯情報端末（ＰＤＡ）が、そのような構成要素を有する装置の例である。そのような構成要素を有する装置は、伝送を可能にするためのワイヤを必要とせず、有利である。更に、装置のユーザは、伝送を続けながら長い距離に亘って装置を動かすことが可能であり得る。この装置は更に、例えば電気配線又は光ファイバといった有線を介する伝送を可能にする構成要素を有してもよい。
【０００９】
本発明の装置の１つの実施例では、この装置は、第１の記憶手段及び第２の記憶手段を有する。ユーザは他の装置を持ち運ぶ必要が無くなり、有利である。或いは、第１の、第２の、又は、第１及び第２の記憶手段は、外部装置として構成されてもよい。第１及び第２の記憶手段は、同じハードウェアの物理的又は論理的に異なる部分であってもよい。第１及び第２のインタフェースは、同じハードウェアの物理的又は論理的に異なる部分であってもよい。
【００１０】
制御ユニットは、制御ユニットは、第２の記憶手段内に、複数のアドレスエントリ、及び、メッセージエントリと複数のアドレスエントリとの関係を格納するよう第２のインタフェースを使用可能であり得る。この特徴は、ユーザが、複数の通信アドレスへのメッセージを予定することを可能にする。
【００１１】
制御ユニットは、第２の記憶手段内に、複数の時間エントリ、及び、複数のアドレスエントリと複数の時間エントリとの関係を格納するよう第２のインタフェースを使用可能である。この特徴は、ユーザが、各通信アドレスに対し、どの時間にメッセージが伝送されるべきかを特定することを可能にする。
【００１２】
送信器は、メッセージが続くことを示すプレフィックスと共にメッセージエントリを送信可能であり得る。この特徴は、呼出しされている人が、リアルタイム通信か又はメッセージであるかを区別することを可能にする。リアルタイム通信は、電話呼、ビデオ会議呼、又はチャットセッションであり得る。
【００１３】
プレフィックスは、マイクロホンから受信した電磁気信号を有し得る。この特徴は、通常の電話機のユーザが入来呼と入来音声メッセージを区別することを可能にする。
【００１４】
本発明の装置は、日付、アドレス、及びメッセージのうち少なくとも１つのエントリを認識する音声認識装置を有し得る。本発明の装置は、キーボードを必要とせず、同時に迅速且つ好都合なデータエントリを可能にするので有利である。キーボードは、移動電話機では比較的大きい空間を占めてしまい得る。
【００１５】
制御ユニットは、メッセージの完全な伝送を確実にするために通信アドレスへの伝送を数回試みることが可能であり得る。メッセージは、その特定された通信アドレスを有する装置が一時的に忙しく、従って、一時的にメッセージを受信不可能であっても届けられるので有利である。
【００１６】
制御ユニットは、マシーンとの通信を検出し、また、マシーンとの通信が検出される場合にメッセージの伝送を中止可能であり得る。マシーンは、ボイスメール機能を提供し得る。制御ユニットは、ボイスメール機能との通信を検出し、メッセージがそのボイスメール機能により記録可能であるときにそのメッセージの伝送を開始することが可能であり得る。例えば、制御ユニットは、ある沈黙の期間を待受けし得る。制御ユニットは、ボイスメール機能へのメッセージの伝送に進む前に所定回数伝送を中止することが可能であり得る。
【００１７】
本発明の装置は、送信器が、メッセージの完全な伝送を確実にしたときに、通知を生成可能であり得る。通知は、オーディオ、ビデオ、又はテキストを有し得る。通知は、メッセージ伝送が完了された日時を有し得る。この通知は、将来においてメッセージを議論する際にユーザにとって好都合である。メッセージがうまく届けられなかった場合、ユーザは、メッセージのコンテンツに通信する別の方法を見つける必要があるかも知れない。
【００１８】
本発明では、第２の目的は、通信ソフトウェアが、日付及び時間のうち少なくとも１つのエレメントを特定する時間エントリと、通信アドレスを特定するアドレスエントリと、メッセージエントリとを受信する機能と、時間エントリに依存して、通信アドレスにメッセージエントリを伝送する機能を有することにより実現される。
【発明を実施するための最良の形態】
【００１９】
本発明の装置及びソフトウェアのこれらの及び他の面を、図面を参照しながら詳細に説明且つ記載する。
【００２０】
同様の又は対応する特徴を有する図面中の要素は、同じ参照番号により識別する。
【００２１】
図１及び２の装置１は、電磁気信号を伝送可能な送信器３と、第１の記憶手段７とインタフェースする第１のインタフェース１５と、電磁気信号を伝送するよう送信器３を使用可能であり且つ第１の記憶手段７内にメッセージエントリを格納するよう第１のインタフェース１５を使用可能である制御ユニット９を有する通信装置である。制御ユニット９は、マイクロプロセッサであり得る。この通信装置は更に、第２の記憶手段１９とインタフェースする第２のインタフェース１７を有する。制御ユニット９は、第２の記憶手段１９内に、日付又は時間のうち少なくとも１つのエレメントを特定する時間エントリと、通信アドレスを特定するアドレスエントリと、時間エントリ、アドレスエントリ、及びメッセージエントリの関係とを格納するよう第２のインタフェース１７を使用可能である。第１の記憶手段７及び第２の記憶手段１９は、不揮発性ランダムアクセスメモリ、磁気媒体、又は光媒体を有し得る。第１のインタフェース１５及び／又は第２のインタフェース１７は、メモリバス、ＩＤＥインタフェース、又は、ＩＥＥＥ１３９４インタフェースであり得る。アドレスエントリは、電話番号又は電子メールアドレスを有し得る。制御ユニット９は、トリガされたときに通信アドレスへのメッセージエントリの伝送を開始する自動ダイアラ１１を有する。タイミング装置１３は、時間エントリに依存して自動ダイアラ１１をトリガするよう設けられる。タイミング装置１３は、時間自体を把握しても又は外部源から時間に基づいた情報を得てもよい。時間に基づいた情報は、時間と日付を含み得る。
【００２２】
通信装置は、リアルタイムオーディオ通信を可能にする電磁気信号を生成する図２に示すマイクロホン３１を有し得る。電磁気信号は、第１の記憶手段７によりメッセージエントリとして格納可能である。
【００２３】
通信装置は、ワイヤレスネットワークへの伝送を可能にする構成要素を有し得る。送信器３は、無線周波数送信器であり得、また、１つ以上のチップを有し得る。送信器３は、ワイヤレスネットワークへ伝送するために任意選択のアンテナ５を用いてもよい。
【００２４】
通信装置は、第１の記憶手段７と、また、任意選択的に第２の記憶手段１９を有する。制御ユニット９は、第２の記憶手段１９内に、複数のアドレスエントリ、及び、メッセージエントリと複数のアドレスエントリとの関係を格納するよう第２のインタフェース１７を使用可能である。制御ユニット９は、第２の記憶手段１９内に、複数の時間エントリ、及び、複数のアドレスエントリと複数の時間エントリとの関係を格納するよう第２のインタフェース１７を使用可能である。制御ユニット９は更に、第２の記憶手段１９内に、単一のアドレスエントリと複数の時間エントリとの関係を格納可能である。このことは、ユーザが、同じ誕生日のお祝いの言葉を毎年送ることを可能にする。送信器３は、メッセージが続くことを示すプレフィックスと共にメッセージエントリを伝送可能である。プレフィックスは、図２に示すマイクロホン３１から受信した電磁気信号を有し得る。
【００２５】
図２を参照するに、通信装置は更に、スピーカ３３、ディスプレイ３５、及びキーボード３７を有し得る。スピーカ３３は、マイクロホン３１を用いて入力された格納メッセージを再生するよう使用可能である。スピーカ３３は更に、リアルタイムオーディオ通信を可能にするよう使用可能である。キーボード３７は、時間及びアドレスを入力するために使用可能である。キーボード３７は更に、テキストメッセージを入力するために使用可能である。或いは、データは、音声認識を用いて入力可能である。図１に示す制御ユニット９は、図１に示す光音声認識装置１２を有し、これは、マイクロホン３１から受信した音声を認識可能である。図１に示す音声認識装置１２は、日付、アドレス、及びメッセージのうち少なくとも１つのエントリを認識可能である。ディスプレイ３５は、キーボード３７又はマイクロホン３１を用いて入力されたデータを見るために使用可能である。ディスプレイ３５は、ＬＥＤディスプレイ又はＬＣＤディスプレイであり得る。キーボード３７又は音声認識装置１２は更に、日付、アドレス、及びメッセージのうち少なくとも１つのエントリを編集するよう使用してもよい。
【００２６】
図１に示す制御ユニット９は、メッセージの完全な伝送を確実にするために通信アドレスへの伝送を数回試みることが可能である。図１に示す制御ユニット９は、マシーンとの通信を検出可し、マシーンとの通信が検出される場合、メッセージの伝送を中止可能である。図１に示す送信器３がメッセージの完全な伝送を確実にしたときに、通知が生成されてもよい。この通知は、ディスプレイ３５上に表示されるか、又は、スピーカ３３を使用して再生され得る。
【００２７】
本発明は、好適な実施例に関連して説明したが、当業者には、上述した原理内の本発明の変更は明らかであり、従って、本発明は好適な実施例に制限されるものではなく、そのような変更を含むものであることを理解するものとする。本発明は、各新規の特性と、その特性の各組合わせにある。請求項における参照番号は、その保護範囲を制限するものではない。「有する」という動詞及びその活用形の使用は、請求項に記載される要素以外の要素の存在を排除するものではない。単数形で示される要素の使用は、そのような要素が複数存在することを排除するものではない。
【００２８】
当業者には明らかなように「手段」は、動作を行う、又は、特定の機能を行うよう設計される任意のハードウェア（例えば、別個或いは集積回路又は電子素子）、又は、ソフトウェア（プログラム又はプログラムの一部のように）を含むと意味し、特定の機能は、独立型であっても他の機能と組合わされてであってもよく、また、分離されていても他の要素と協働であってもよい。本発明は、幾つかの別個の要素を有するハードウェア、及び、好適にプログラムされたコンピュータにより実施可能である。幾つかの手段を列挙する装置クレームにおいて、これらの手段の幾つかは、全く同一のハードウェアアイテムにより具現化可能である。「ソフトウェア」とは、フロッピー（登録商標）ディスクといったコンピュータ可読媒体上に格納され、インターネットといったネットワークを介してダウンロード可能であり、又は、任意の他の方法で市販可能な任意のソフトウェアプロダクトを意味すると理解するものとする。
【図面の簡単な説明】
【００２９】
【図１】通信装置を示す背面図である。
【図２】図１の通信装置を示す前面図である。
【図１】
2005539429.tif 000003
【図２】
2005539429.tif 000004
【国際調査報告】
2005539429.tif 000005
2005539429.tif 000006